(57)【要約】【課題】ウエイトのからみつきをより少なくするフック巻過ぎ防止装置を提供する。【解決手段】ウエイト１０の両端に２本のウエイト吊り下げ用ワイヤロープ２１、２２の下端がそれぞれ取り付けられると共に前記ワイヤロープの少なくとも一方の上端はリミットスイッチが取り付けられ、前記ウエイト１０を貫通し下端にフックが取り付けられた巻上用ロープ３０を備えるフック巻過ぎ防止装置であって、前記ウエイト吊り下げ用ワイヤロープ２１、２２の下端が取り付けられる２点ＰＱ間の寸法Ｌ４が前記ウエイトの長手方向寸法Ｌ４’と略等しくかつ、前記ワイヤロープ２１、２２の上端が取り付けられる２点間の寸法Ｌ１の１／３以上であって、そして前記巻上用ロープ３０は前記ウエイト１０の中心部に形成された巻上用ロープ貫通孔１１を貫通する。【選択図】　　　図４
2004010202.tif 000002
【特許請求の範囲】
【請求項１】
ウエイトの両端に２本のウエイト吊り下げ用ワイヤロープの下端がそれぞれ取り付けられると共に前記ワイヤロープの少なくとも一方の上端はリミットスイッチが取り付けられ、前記ウエイトを貫通し下端にフックが取り付けられた巻上用ロープを備えるフック巻過ぎ防止装置であって、
前記ウエイト吊り下げ用ワイヤロープの下端が取り付けられる２点間の寸法が前記ウエイトの長手方向寸法と略等しくかつ、前記ワイヤロープの上端が取り付けられる２点間の寸法の１／３以上であって、そして前記巻上用ロープは前記ウエイトの中心部に形成された巻上用ロープ貫通孔を貫通することを特徴とするフック巻過ぎ防止装置。
【請求項２】
前記巻上用ロープ貫通孔は、その内のり寸法が、前記巻上用ロープの外径寸法の５倍以内であることを特徴とする請求項１記載のフック巻過ぎ防止装置。
【請求項３】
前記ウエイトは、前記巻上ロープが貫通する筒状部と、前記筒状部の側面から延設された２本の連結体と、前記連結体の端部はブラケットからなり、前記ブラケットはウエイト重心より高い位置に設けられ、
前記ブラケットに前記ウエイト吊り下げ用ワイヤロープの下端がそれぞれ取り付けられることを特徴とする請求項１記載のフック巻過ぎ防止装置。
【発明の詳細な説明】
【０００１】
【発明の属する技術分野】
本発明は、クレーン等のフックが揺れた時に、フック巻過ぎ防止装置の誤作動を防止するフック巻過ぎ防止装置に関する。
【０００２】
【従来の技術】
クレーン等のフックには、従来、図１や図２に示すようなウエイト形状をしたフック巻過ぎ防止装置が使用されている。
図１のフック巻過ぎ防止装置は、巻上用ロープが貫通する円筒状のウエイトの上面２点に２本のウエイト吊り下げ用ワイヤロープ（以下、「ワイヤロープ」という）下端がそれぞれ取り付けられる。前記ワイヤロープが取り付けられる２点は、前記円筒状のウエイトの円環状の上面において点対称の位置にある。したがって、前記２点間の寸法Ｌ２は、前記ウエイトの直径に略等しい。
【０００３】
そして、図１のフック巻過ぎ防止装置においては、一本のワイヤの上端はクレーンのブーム等に固定され、もう一本のワイヤの上端はリミットスイッチを介してクレーンのブーム等に固定される。二本のワイヤが固定された固定点間の寸法Ｌ１は前記寸法Ｌ２より非常に大である（Ｌ１≫Ｌ２）。また、巻上用ロープの下端はフックが取り付けられる。
【０００４】
図２のフック巻過ぎ防止装置は、巻上用ロープが貫通する格子状のウエイトの両端に２本のウエイト吊り下げ用ワイヤロープ（以下、「ワイヤロープ」という）下端がそれぞれ取り付けられる。前記ウエイトは両端に位置する２枚のウエイト片と、この２枚のウエイト片を連結する２本の連結棒からなり、格子状に形成される。前記ワイヤロープが取り付けらる２点は、ウエイトの両端に位置する２枚のウエイト片の上端にそれぞれ位置しているので、前記２点間の寸法Ｌ３は、前記連結棒の長さに略等しい。
【０００５】
そして、図２のフック巻過ぎ防止装置においても、一本のワイヤの上端はクレーンのブーム等に固定され、もう一本のワイヤの上端はリミットスイッチを介してクレーンのブーム等に固定される。二本のワイヤが固定された固定点間の寸法Ｌ１は前記寸法Ｌ３より大である（Ｌ１＞Ｌ３）。また、巻上用ロープの下端はフックが取り付けられる。
【０００６】
【発明が解決しようとする課題】
しかしながら、図１のフック巻過ぎ防止装置の場合、前記寸法Ｌ２が短いためウエイトが回転して巻上用ロープにからみつくことが少なくない。
また、図２のフック巻過ぎ防止装置は、前記寸法Ｌ３を広げてからみつきを少なくした例であるが、図３の説明図に示すように、フックの揺れやウエイトの揺れなどにより、格子状のウエイトの中を巻上用ロープが自由に動き（図３（Ａ），（Ｂ）参照）、巻上用ロープとウエイトの干渉（当たり）具合によっては、巻上用ロープがウエイトの偏心位置に当たり、ウエイトが回され（図３（Ｃ）参照）、その結果、ウエイト吊り下げ用ワイヤロープが巻上用ロープにからみつく場合がある。
【０００７】
本発明は、上記従来のフック巻過ぎ防止装置の問題点に鑑みて、ウエイトのからみつきをより少なくするフック巻過ぎ防止装置を提供することを課題とする。
【０００８】
【課題を解決するための手段】
そのために、本発明のフック巻過ぎ装置は、ウエイトの両端に２本のウエイト吊り下げ用ワイヤロープの下端がそれぞれ取り付けられると共に前記ワイヤロープの少なくとも一方の上端はリミットスイッチが取り付けられ、前記ウエイトを貫通し下端にフックが取り付けられた巻上用ロープを備えるフック巻過ぎ防止装置であって、前記ウエイト吊り下げ用ワイヤロープの下端が取り付けられる２点間の寸法が前記ウエイトの長手方向寸法と略等しくかつ、前記ワイヤロープの上端が取り付けられる２点間の寸法の１／３以上であって、そして前記巻上用ロープは前記ウエイトの中心部に形成された巻上用ロープ貫通孔を貫通することを特徴とする。
【０００９】
上記フック巻過ぎ装置は、前記巻上用ロープ貫通孔は、その内のり寸法が、前記巻上用ロープの外径寸法の５倍以内とすることが好ましい。また、前記ウエイトは、前記巻上ロープが貫通する筒状部と、前記筒状部の側面から延設された２本の連結体と、前記連結体の端部はブラケットからなり、前記ロープ貫通孔が自重により鉛直になるように、前記ブラケットはウエイト重心より高い位置に設けられ、前記ブラケットに前記ウエイト吊り下げ用ワイヤロープの下端がそれぞれ取り付けられることを特徴とすることが好ましい。なお、前記筒状部は、円筒状であることが好ましいが、だ円状であってもかまわない。
【００１０】
【発明の実施の形態】
本発明の発明の実施の形態の一例を、図面を参照して詳細に説明する。
図４は本発明の実施の形態におけるフック巻過ぎ防止装置の概略斜視図及びｃ矢視図である。
【００１１】
図４において、１０はウエイトであり、その両端にウエイト吊り下げ用ワイヤロープ２１、２２の下端がそれぞれ吊り下げられる。また、３０は、前記ウエイト１０を貫通し下端にフック（図示せず）が取り付けられる巻上用ロープである。
【００１２】
ｃ矢視図に示すととおり、前記ウエイト吊り下げ用ワイヤロープ２１、２２の下端が取り付けられる２点ＰＱ間の寸法Ｌ４が前記ウエイトの長手方向寸法Ｌ４’と略等しく、かつ前記ワイヤロープの上端が取り付けられる２点間の寸法Ｌ１の１／３以上になるように大きくする。
【００１３】
そして、前記ウエイト１０の中心部には、巻上用ロープ貫通孔１１が形成され、前記巻上用ロープ３０が貫通する。前記巻上用ロープ貫通孔１１は、その内のり寸法Ｄが、前記前記巻上用ロープ３０の外径寸法ｄの５倍以内（Ｄ＜５ｄ）とすることが望ましい。
【００１４】
前記ウエイト１０は、前記巻上ロープ３０が貫通する丸孔の前記巻上用ロープ貫通孔１１が形成された筒状部１２と、前記筒状部１２の側面から延設された２本の連結棒１３、１３と、前記連結棒１３、１３の端部にそれぞれ固着されたブラケット１４、１４からなる。
【００１５】
そして、前記ブラケット１４、１４に前記ウエイト吊り下げ用ワイヤロープ２１、２２の下端がそれぞれ取り付けられる。なお、図４のフック巻過ぎ防止装置においては、一本のワイヤロープ２１の上端はクレーンのブーム等に固定され、もう一本のワイヤロープ２２の上端はリミットスイッチ２３を介してクレーンのブーム等に固定される。
【００１６】
【発明の効果】
以上、詳細に説明したように、本発明のフック巻過ぎ防止装置は、ウエイトの両端に２本のウエイト吊り下げ用ワイヤロープの下端がそれぞれ取り付けられると共に前記ワイヤロープの少なくとも一方の上端はリミットスイッチが取り付けられ、前記ウエイトを貫通し下端にフックが取り付けられた巻上用ロープを備えるフック巻過ぎ防止装置であって、前記ウエイト吊り下げ用ワイヤロープの下端が取り付けられる２点間の寸法が前記ウエイトの長手方向寸法と略等しくかつ、前記ワイヤロープの上端が取り付けられる２点間の寸法の１／３以上であって、そして前記巻上用ロープは前記ウエイトの中心部に形成された巻上用ロープ貫通孔を貫通することとしたので、巻上用ロープが揺れても、これに追従してウエイトも揺れることにより、巻上用ロープは常に、ウエイトの中心部に形成された巻上用ロープ貫通孔に干渉（当たり）するので、巻上用ロープの干渉（当たり）によるウエイトを回転させる力を小さくすることができる。これにより、フックの揺れによるウエイトのからみつきを少なくすることができ、誤作動を防止することができる。
【００１７】
図５に示すように従来のフック巻過ぎ防止装置は、ウエイトが振れると、一方のウエイト吊り下げ用ワイヤロープがたるむのでリミットスイッチがＯＮとなり誤動作となる。フックが巻き上って来た時にスイッチがＯＮとなるのが正常動作である。上述のような誤動作を防止したいが、Ｌ１に比べＬ２が非常に小さいこと
から傾きが大となる。一方、ウエイトは、その穴（穴径小）に巻上用ワイヤが貫通しているのでウエイトは一定以上傾くことができない。そこで、傾くことができない分ワイヤロープがたるむ。
【００１８】
これに対して、本発明に係るフック巻過ぎ防止装置は、図６に示すように、Ｌ４の寸法を大きくしたので、ウエイトが振れた場合、図５と同じだけ振れても、ウエイトの傾きは小さいからロープはたるみにくい。したがって、リミットスイッチの誤作動を少なくすることができるのである。
【図面の簡単な説明】
【図１】従来のフック巻過ぎ防止装置の概略斜視図及びａ矢視図である。
【図２】従来の他のフック巻過ぎ防止装置の概略斜視図及びｂ矢視図である。
【図３】図２のフックフック巻過ぎ防止装置の動作説明図である。
【図４】本発明の実施の形態におけるフック巻過ぎ防止装置の概略斜視図及びｃ矢視図である。
【図５】従来のフック巻過ぎ防止装置の動作説明図である。
【図６】本発明に係るフック巻過ぎ防止装置の動作説明図である。
【符号の説明】
１０　ウエイト　　　　　　　　　１１　巻上用ロープ貫通孔
１２　筒状部　　　　　　　　　　１３　連結棒
１４　ブラケット
２１，２２ウエイト吊り下げ用ワイヤロープ
３０　巻上用ロープ
【図１】
2004010202.tif 000003
【図２】
2004010202.tif 000004
【図３】
2004010202.tif 000005
【図４】
2004010202.tif 000006
【図５】
2004010202.tif 000007
【図６】
2004010202.tif 000008